(57)【特許請求の範囲】
【請求項１】
平面形状が略正方形の底部と、該底部の一方の相対する土手部にヒンジ連結された一方の相対する側壁と、前記底部のもう一方の相対する土手部にヒンジ連結されているとともに、前記一方の相対する側壁と大きさや形状が略同じである、もう一方の相対する側壁とを有し、箱型に組み立てられた状態から、前記一方の相対する側壁を底部方向に倒して底部に重ね、次いで、前記もう一方の相対する側壁を底部方向に倒して底部に重ねることにより折り畳むことが可能な折り畳みコンテナーにおいて、前記先に倒される一方の相対する側壁の色或いは色調と、前記後から倒されるもう一方の相対する側壁の色或いは色調とが異なるように構成されていることを特徴とする折り畳みコンテナー。
【発明の詳細な説明】
【０００１】
【発明の属する技術分野】
本発明は、底部を囲むように配設された側壁が、底部に重なるように折り畳むことができる折り畳みコンテナーに関するものである。
【０００２】
【従来の技術】
従来、平面形状が略正方形で、且つ、相対する一方の縁部には、高さの高い土手部が形成されているとともに、相対するもう一方の縁部には、前記の土手部より、高さの低い土手部が形成されている底部と、底部の高さの高い土手部に、ヒンジ部を介して連結された側壁と、底部の高さの低い土手部に、同様に、ヒンジ部を介して連結された側壁とからなる折り畳みコンテナーが知られている。そして、箱型に組み立てられた状態から、底部を囲むように配設された側壁が、底部に重なるように折り畳むには、先ず最初に、底部の高さの低い土手部にヒンジ連結されている相対する側壁を、底部方向に倒して、底部に重ね、次いで、底部の高さの高い土手部にヒンジ連結されている側壁を、同じく底部方向に倒して、先に倒され底部に重ねられている側壁に重ねることにより、高さの低いコンパクトな状態に折り畳むことができるように構成されている。
【０００３】
【発明が解決しようとする課題】
上述した従来の折り畳みコンテナーにおいては、底部の平面形状が略正方形に形成されているために、底部を囲むように配設された４つの側壁の大きさや形状が、略同じであるので、箱型に組み立てられた状態から、折り畳みコンテナーを折り畳む際に、先に倒す相対する側壁と、後から倒す相対する側壁との区別がしずらく、従って、折り畳みコンテナーの折り畳み作業の作業性が悪いという問題があった。
【０００４】
本発明の目的は、上述した従来の折り畳みコンテナーが有する課題を解決することにある。
【０００５】
【課題を解決するための手段】
本発明は、上述した目的を達成するために、平面形状が略正方形の底部と、該底部の一方の相対する土手部にヒンジ連結された一方の相対する側壁と、前記底部のもう一方の相対する土手部にヒンジ連結されているとともに、前記一方の相対する側壁と大きさや形状が略同じである、もう一方の相対する側壁とを有し、箱型に組み立てられた状態から、前記一方の相対する側壁を底部方向に倒して底部に重ね、次いで、前記もう一方の相対する側壁を底部方向に倒して底部に重ねることにより折り畳むことが可能な折り畳みコンテナーにおいて、前記先に倒される一方の相対する側壁の色或いは色調と、前記後から倒されるもう一方の相対する側壁の色或いは色調とが異なるように構成したものである。
【０００６】
【実施例】
以下に、本発明の実施例について説明するが、本発明の趣旨を越えない限り何ら、本実施例に限定されるものでない。
【０００７】
１は、平面形状が略正方形の底部であり、底部１の相対する一方の縁部には、高さの高い土手部２が形成されており、また、底部１の相対するもう一方の縁部には、前記の土手部２より、高さの低い土手部３が形成されている。４は、底部１の高さの高い土手部２にヒンジ連結された側壁であり、５は、底部１の高さの低い土手部３にヒンジ連結された側壁である。
【０００８】
図１に示されているように、箱型に組み立てられている折り畳みコンテナーＣ１を折り畳むには、先ず最初に、底部１の高さの低い土手部３にヒンジ連結されている相対する側壁５を、底部１方向に倒して、図２に示されているように、底部１に重ね、次いで、底部１の高さの高い土手部２にヒンジ連結されている側壁４を、同じく底部１方向に倒して、先に倒され底部１に重ねられている側壁５に重ねることにより、図３に示されているように、折り畳みコンテナーＣ１を、高さの低いコンパクトな状態に折り畳むことができるように構成されている。折り畳まれた状態の折り畳みコンテナーＣ１は、後から倒された側壁４を、略垂直に立て、次いで、先に倒された側壁５を、同じく略垂直にたてるとともに、先に倒された側壁５の両側部と後から倒された側壁４の両側部とを、公知の係合手段により係合させることにより、箱型に組み立てることができる。
【０００９】
本実施例においては、箱型に組み立てられている折り畳みコンテナーＣ１を折り畳む際に、先に倒される側壁、即ち、底部１の高さの低い土手部３にヒンジ連結されている相対する側壁５を、後から倒される側壁、即ち、底部１の高さの高い土手部２にヒンジ連結されている側壁４から容易に識別できるように、先に倒される側壁５と後から倒される側壁４との色を異なるように構成したり、或いは、同じ色でも、その濃淡を変えるなどして色調を変えることにより、先に倒される側壁５の識別が容易になるように構成されている。従って、箱型に組み立てられている折り畳みコンテナーＣ１の折り畳み作業の作業性が向上する。
【００１０】
図４には、上述した平面形状が略正方形の底部１を有する折り畳みコンテナーＣ１を、２個並設して段積みすることが可能な折り畳みコンテナー（以下、単に、大型折り畳みコンテナーという。）Ｃ２が示されている。
【００１１】
大型折り畳みコンテナーＣ２は、上述した折り畳みコンテナーＣ１の略正方形の底部１を２個並設した、平面形状が略長方形の底部１０を有しており、また、底部１０には、底部１０の相対する長い縁部に形成された高さの高い土手部２０と、底部１０の相対する短い縁部に形成された高さの低い土手部３０とが配設されている。また、上述した折り畳みコンテナーＣ１と同様に、底部１０の高さの高い土手部２０には、長側壁４０がヒンジ連結されており、更に、底部１０の高さの低い土手部３０には、短側壁５０がヒンジ連結されている。
【００１２】
そして、上述した折り畳みコンテナーＣ１と同様に、箱型に組み立てられている大型折り畳みコンテナーＣ２を折り畳むには、先ず最初に、底部１０の高さの低い土手部３０にヒンジ連結されている相対する短側壁５０を、底部１０に重ね、次いで、底部１０の高さの高い土手部２０にヒンジ連結されている長側壁４０を、先に倒され底部１０に重ねられている短側壁５０に重ねることにより、大型折り畳みコンテナーＣ２を、高さの低いコンパクトな状態に折り畳むことができるように構成されている。折り畳まれた状態の大型折り畳みコンテナーＣ２は、後から倒された長側壁４０を、略垂直に立て、次いで、先に倒された短側壁５０を、同じく略垂直にたてるとともに、先に倒された短側壁５０の両側部と後から倒された長側壁４０の両側部とを、公知の係合手段により係合させることにより、箱型に組み立てることができる。
【００１３】
大型折り畳みコンテナーＣ２の先に倒される短側壁５０は、上述した折り畳みコンテナーＣ１の先に倒される側壁５と同じ色或いは同じ色調に色付けされており、また、必要に応じて、大型折り畳みコンテナーＣ２の後から倒される長側壁４０が、上述した折り畳みコンテナーＣ１の後から倒される短側壁５０と同じ色或いは同じ色調に色付けされている。
【００１４】
箱型に組み立てられた空の大型折り畳みコンテナーＣ２に、同じく箱型に組み立てられた空の２個の折り畳みコンテナーＣ１を段積みする場合には、大型折り畳みコンテナーＣ２の先に倒される短側壁５０と、折り畳みコンテナーＣ１の先に倒される側壁５とが、同じ側に配置されるように段積みすることにより、折り畳みコンテナーＣ１の先に倒される側壁５の折り畳み方向と、大型折り畳みコンテナーＣ２の先に倒される短側壁５０の折り畳み方向が同じであるので、折り畳みコンテナーＣ１及び大型折り畳みコンテナーＣ２の折り畳み作業の作業性が向上することになる。しかしながら、折り畳みコンテナーＣ１の先に倒される側壁５と後から倒される側壁４が同じ色や同じ色調であったり、また、大型折り畳みコンテナーＣ２の先に倒される短側壁５０と後から倒される長側壁４０が同じ色や同じ色調であると、大型折り畳みコンテナーＣ２の先に倒される短側壁５０と、折り畳みコンテナーＣ１の先に倒される側壁５とが、同じ側に位置するように、大型折り畳みコンテナーＣ２の上に、折り畳みコンテナーＣ１を段積みしたかどうかの確認に時間がかかることになる。
【００１５】
上記のような課題を解決するために、本実施例においては、折り畳みコンテナーＣ１の先に倒される側壁５と、大型折り畳みコンテナーＣ２の先に倒される短側壁５０との色或いは色調とが、同一になるように構成されている。このように構成することにより、大型折り畳みコンテナーＣ２の短側壁５０の色或いは色調と同じ色或いは色調を有する折り畳みコンテナーＣ１の側壁５が、同じ側に位置するように、色合わせするだけで、折り畳みコンテナーＣ１の先に倒される側壁５と、大型折り畳みコンテナーＣ２の先に倒される短側壁５０とを、容易に同じ側に配置することができ、従って、折り畳みコンテナーＣ１及び大型折り畳みコンテナーＣ２の折り畳み作業の作業性が向上することになる。
【００１６】
上述した実施例においては、大型折り畳みコンテナーＣ２の上に、２個の折り畳みコンテナーＣ１を段積みした例が示されているが、２個の折り畳みコンテナーＣ１の上に、１個の大型折り畳みコンテナーＣ２を段積みすることもできる。また、大型折り畳みコンテナーＣ２の底部１０の三分の一以下の大きさの底部を有する折り畳みコンテナーを、３個以上、大型折り畳みコンテナーＣ２の上に段積みする場合や、３個以上の折り畳みコンテナーの上に、大型折り畳みコンテナーＣ２を段積みする場合にも、同様に、上述した本発明の構成を適用することができる。
【００１７】
なお、６は、底部１の高さの低い土手部３にヒンジ連結された側壁５に形成された持ち手用透孔であり、このような持ち手用透孔６を、先に倒される色付けされた側壁５に形成することにより、持ち手用透孔６が、先に倒される側壁５側に形成されているか、後から倒される側壁４に形成されているかを、容易に判別することができる。同様に、カード保持部材を、先に倒される色付けされた側壁５に配設することにより、カード保持部材が配設されている側壁を、容易に判別することができる。同じく、大型折り畳みコンテナーＣ２の先に倒される色付けされた側壁５０に、持ち手用透孔６０を穿設したり、カード保持部材を配設することが好ましい。
【００１８】
【発明の効果】
本発明は、以上説明した構成を有しているので、以下に記載する効果を奏するものである。
【００１９】
先に倒される側壁の色或いは色調と後から倒される側壁の色或いは色調とが異なるように構成したので、折り畳みコンテナーの折り畳み作業の作業性が向上する。
【図面の簡単な説明】
【図１】図１は本発明の折り畳みコンテナーの箱型に組み立てられた状態の斜視図である。
【図２】図２は本発明の折り畳みコンテナーの組み立て途中の斜視図である。
【図３】図３は本発明の折り畳みコンテナーの折り畳まれた状態の斜視図である。
【図４】図４は本発明の折り畳みコンテナーより大型の折り畳みコンテナーの箱型に組み立てられた状態の斜視図である。
【図５】図５は大型の折り畳みコンテナーに本発明の折り畳みコンテナーが段積みされた状態の斜視図である。
【符号の説明】
１・・・・・・・・・・・・底部
２・・・・・・・・・・・・高さの高い土手部
３・・・・・・・・・・・・高さの低い土手部
４、５・・・・・・・・・・側壁
【図１】
0003757174.tif 000002
【図２】
0003757174.tif 000003
【図３】
0003757174.tif 000004
【図４】
0003757174.tif 000005
【図５】
0003757174.tif 000006